(57)【特許請求の範囲】
【請求項１】
層構成を有する成形品を成形する金型に取り付けられるホットランナーノズルであり、複数の樹脂吐出口がシャットピン用孔の長さ方向に並んでこのシャットピン用孔に臨んでいて、各樹脂吐出口からの溶融樹脂が前記シャットピン用孔で合流し、前記シャットピン用孔の内部を進退移動するシャットピンがノズルゲートを開閉するホットランナーノズルにおいて、
前記複数の樹脂吐出口の内、シャットピン用孔での前方に位置する最前位の樹脂吐出口は、前記成形品の表層を形成する成形材料である成形品表層用溶融樹脂をシャットピン用孔に送り込み可能とした吐出口であるとともに、シャットピン用孔での後方に位置する最後位の樹脂吐出口は、最前位の樹脂吐出口での成形品表層用溶融樹脂と同じ成形品表層用溶融樹脂をシャットピン用孔に送り込み可能とした吐出口であり、前記最前位の樹脂吐出口と最後位の樹脂吐出口との間に中位の樹脂吐出口が位置していて、この中位の樹脂吐出口は、前記成形品表層用溶融樹脂と異なる樹脂である成形品中間層用溶融樹脂をシャットピン用孔に送り込み可能とした吐出口であり、
前記シャットピン用孔には、ノズルゲート側からシャットピンの径に径が合致して前記最前位の樹脂吐出口のみが臨んでいるピン径対応部と、このピン径対応部の後方であって、シャットピンの径より径が大径とされて前記最前位の樹脂吐出口以外の樹脂吐出口が臨んでいる大径部とが設けられており、
前記大径部を介して中位の樹脂吐出口と最後位の樹脂吐出口とが連通していて、この大径部で、中位の樹脂吐出口から送り込まれる成形品中間層用溶融樹脂と最後位の樹脂吐出口から送り込まれる成形品表層用溶融樹脂とが合流して、ノズルゲート側に送り出される構成としたことを特徴とするホットランナーノズル。
【請求項２】
上記樹脂吐出口に至るノズル内樹脂通路それぞれは、ノズル径方向での断平面上で円環同心円状にして配置されていて、前記樹脂吐出口それぞれは、シャットピン用孔の周方向に開口しているものである請求項１に記載のホットランナーノズル。
【請求項３】
請求項１または２に記載のホットランナーノズルが設けられていて、このホットランナーノズルから送り込まれた溶融樹脂により層構成を有する成形品を形成する多層成形品成形用の金型であって、
上記シャットピンがピン径対応部範囲内での最前位の樹脂吐出口の後方に位置して、最前位の樹脂吐出口のみを開放した状態と、
前記シャットピンがピン径対応部の後方に位置して、上記全樹脂吐出口から型内空間側への上記溶融樹脂の送り出しが可能とされた全開の状態と、
前記シャットピンが最前位の樹脂吐出口の前方に位置して、最前位の樹脂吐出口を閉鎖しこの最前位の樹脂吐出口の後方でピン径対応部を閉鎖した全閉状態との三つのシャットピン開閉状態が切り換え可能とされていることを特徴とする多層成形品成形用の金型。
【請求項４】
上記シャットピンの先端に、該シャットピンの先端より小径にして、このシャットピンでのノズルゲート閉鎖時にノズルゲートに入り込んでノズルゲート内の溶融樹脂をノズル先端側に向けて押し出す凸部が設けられている請求項３に記載の多層成形品成形用の金型。
【請求項５】
請求項１または２に記載のホットランナーノズルが設けられていて、このホットランナーノズルから送り込まれた溶融樹脂により層構成を有する成形品を形成する多層成形品成形用の金型であって、該金型の成形品表層用溶融樹脂のランナーに溶融樹脂を送り込む射出装置と該金型の成形品中間層用溶融樹脂のランナーに溶融樹脂を送り込む射出装置が取り付けられて、前記射出装置からの溶融樹脂が送り込まれる多層成形品成形用の金型において、
上記シャットピンを進退移動させる駆動手段が設けられていて、該駆動手段は、シャットピンの進退移動のタイミングと進退移動の動作速度とを上記樹脂吐出口での溶融樹脂の送り出しごとに調整可能な空気圧または油圧のシリンダ回路を備えていることを特徴とする多層成形品成形用の金型。
【発明の詳細な説明】
【技術分野】
【０００１】
本発明は合成樹脂製のコップなどのような複数層の層構成を有して比較的薄肉の成形品を射出成形にて得るためのホットランナーノズルと、このホットランナーノズルを用いた多層成形品成形用の金型とに関するものである。
【背景技術】
【０００２】
合成樹脂材からなる成形品には、例えば種類が異なる二種の樹脂を利用し、一方の樹脂を成形品表層用（成形品内表面側の層と外表面側の層）の樹脂を層状にするとともに、他方の樹脂を成形品中層用の樹脂も層状にした層構成を有したものがあって、目的とする機能を発現する樹脂を成形品中層用の樹脂として層状にし、この層を成形品表層用の樹脂からなる層でサンドイッチするように成形しているものがある。多層の成形品には二種の樹脂を三層とする層構成だけでなく、三種の樹脂で五層の層構成、またそれ以上の層が重なっている層構成を備えた成形品も流通している。
【０００３】
このような複数層の層構成を有する成形品を射出成形法を用いて成形するに際し、特許文献１に示されているように、複数の射出装置それぞれからの溶融樹脂が流れるようにしたホットランナーノズルを金型側に取り付けて、そのホットランナーノズルで成形品表層用溶融樹脂と成形品中間層用溶融樹脂とを合流させた状態で金型に送り込んで成形を行なう方法が知られている。
【０００４】
多層の層構成を有する成形品として薄肉で器形状やコップ形状の製品では、上述したように内表面側と外表面側との二層を同じ成形品表層用溶融樹脂からなるものとし、その間に成形品中間層用溶融樹脂からなる層をサンドイッチさせて二種三層の層構成を有する成形品が一般的であって、このような成形品をホットランナーノズルを配した金型を利用して成形している。
【先行技術文献】
【特許文献】
【０００５】
【特許文献１】特公平０６−０５９６７２号公報
【発明の概要】
【発明が解決しようとする課題】
【０００６】
上述した二種三層の成形品を成形する従来のホットランナーノズルは、以下に述べる構成を有している。図１３から図１８にこのホットランナーノズルを概略的に示し、成形品を得る手順が概略的に示されている。このホットランナーノズル１はシャットピン進退方向に前後にして配置した二つの樹脂吐出口２、３を有していて、前方の樹脂吐出口２と後方の樹脂吐出口３とは、シャットピン４が進退移動するシャットピン用孔５に臨んでいて、一つの射出装置から成形品表層用溶融樹脂ａが前方の樹脂吐出口２に送られるとともに、もう一つの射出装置から成形品中間層用溶融樹脂ｂが後方の樹脂吐出口３に送られる。
【０００７】
シャットピン用孔５の先端のノズルゲート６までにシャットピン４が進み出ているときには、そのシャットピン４の周面が、前方の樹脂吐出口２と後方の樹脂吐出口３とに対応位置し、シャットピン４がノズルゲート６を閉鎖するとともに、両樹脂吐出口２、３をも直接に閉鎖しており、成形品表層用溶融樹脂ａと成形品中間層用溶融樹脂ｂとがシャットピン用孔５に送り込まれるのを止めている状態である。
【０００８】
このホットランナーノズル１は金型７にセットされているものであって、型内空間８を構成する固定型と移動型との内、固定型側に前記ホットランナーノズル１が取り付けられ、ノズルゲート６が型内空間８のスプルー９に相対し、ホットランナーノズル１から溶融樹脂が送り出されれば、スプルー９を介して型内空間８にその溶融樹脂が充填されて成形品が成形される。
【０００９】
ホットランナーノズル１を取り付けた金型で成形品を成形する場合、図１３から図１８に示す動作が行なわれることとなる。なお、成形の一サイクルが開始される前に、前方の樹脂吐出口２までに成形品表層用溶融樹脂ａが達し、同じく後方の樹脂吐出口３までに成形品中間層用溶融樹脂ｂが達しているものとする。
【００１０】
（１）前成形サイクルでの成形品を取り出してから移動型と固定型とが合わされることで、型内空間８におけるスプルー９の部分にホットランナーノズル１のノズルゲート６が対応位置する。そして、シャットピン４が図示しない駆動手段により前方の樹脂吐出口２の後方まで後退移動し、前方の樹脂吐出口２が開放され、また、前記開放に合わせて一方の射出装置が溶融樹脂の送り込みの動作を開始することで、成形品表層用溶融樹脂ａがシャットピン用孔内に送り込まれて、型内空間側への送り込みが開始される。図１３
【００１１】
（２）前方の樹脂吐出口２を開放し、後方の樹脂吐出口３をシャットピン４で閉鎖した状態で、前方の樹脂吐出口２からの成形品表層用溶融樹脂ａの送り込みを続ける。即ち、成形の初期に前方の樹脂吐出口２のみを開放して、成形品表層用溶融樹脂ａを先行して送り込みをする。図１４
【００１２】
（３）つぎにシャットピン４が上記駆動手段にて後方の樹脂吐出口３の後方まで後退移動し、後方の樹脂吐出口３も開放され、この開放に合わせて他方の射出装置が溶融樹脂の送り込みの動作を開始する。これによって前方の樹脂吐出口２から成形品表層用溶融樹脂ａがシャットピン用孔５に送り込まれるとともに、後方の樹脂吐出口３から成形品中間層用溶融樹脂ｂもシャットピン用孔５に送り込まれ、両溶融樹脂ａ，ｂが合流してシャットピン用孔５から型内空間８に送り込まれる。図１５、図１６
【００１３】
このときスプルー９の部分では、成形品中間層用溶融樹脂ｂの流れの周りを成形品表層用溶融樹脂ａの流れの部分で囲んだ状態で通過する。そして、成形品中間層用溶融樹脂ｂは型内空間８に入ってから層状に広がり、先行して送り込まれていた成形品表層用溶融樹脂ａの中を進む。また、成形品中間層用溶融樹脂ｂとともに型内空間８に送り込まれる成形品表層用溶融樹脂ａは、図示の例において金型キャビティ側製品面（凹面）に沿って広がり、その成形品表層用溶融樹脂ａの先端側の部分は、成形品中間層用溶融樹脂ｂの先端側の部分を覆いながら金型コア側製品面側（凸面側）にも回り込む。このようにして型内空間８に、成形品表層用溶融樹脂ａは二層にし、その間に一層の成形品中間層用溶融樹脂ｂが入り込んだ三層の状態で充填が進められる。図１５において矢印は溶融樹脂の流れを概略的に示している。
【００１４】
（４）溶融樹脂の送り込みの終了段階に近くなると、駆動手段によってシャットピン４が前進移動して後方の樹脂吐出口３を閉鎖して成形品中間層用溶融樹脂ｂのシャットピン用孔５内への送り込みを止める。射出装置から送り込まれる成形品用中間層用溶融樹脂ｂ自体は閉鎖された後方の樹脂吐出口３に達した状態のままで流れが止まり、また、それに合わせて他方の射出装置の送り込みの動作も止まって、つぎの成形に入る前の待機した状態となる。なお、前方の樹脂吐出口２からの成形品表層用溶融樹脂ａのシャットピン用孔５への送り込みは続けられて、スプルー９を介した型内空間８への送り込みが続くので、その流れに伴なって前記成形品中間層用溶融樹脂ｂの送り込み終了部分も型内空間８側に送り込まれる。図１７
【００１５】
（５）そして、上述した成形品中間層用溶融樹脂ｂの送り込み終了部分が型内空間８内に送り込むのに相当する量とされた成形品表層用溶融樹脂ａが型内空間８側に送り込まれてから、上記駆動手段によりシャットピン４がさらに前進移動して前方の樹脂吐出口２を閉鎖し、ノズルゲート６も閉鎖する。射出装置から送り込まれる成形品表層用溶融樹脂ａ自体は閉鎖された後方の樹脂吐出口３に達した状態のままで流れが止まり、また、それに合わせて一方の射出装置の送り込みの動作も止まって、つぎの成形に入る前の待機した状態となる。
【００１６】
このようにして二種の溶融樹脂ａ，ｂの型内空間８への送り込みを行なって成形し、冷却されて型開きすることで、成形品断面を二種三層の層構成を有する成形品が得られる。なお、スプルー９の部分は、成形品表層用溶融樹脂のみからなる樹脂部分となる。図１８
【００１７】
しかしながら、二種三層の層構成を有する薄肉の成形品を得る成形に際し、前方の樹脂吐出口からの成形品表層用溶融樹脂と後方の樹脂吐出口からの成形品中間層用溶融樹脂との二層にしてシャットピン用孔に向けて送り込みを行なう構成では、型内空間に向けて二種の溶融樹脂を同時に送り込んでいるときに、金型コア側製品面（凸面）に成形品表層用溶融樹脂が成形品中間層用溶融樹脂の先端部分を回り込んで送り込まれる度合いが小さくなってしまっていた。
【００１８】
そのため、図示の金型コア側製品面に沿って広がる成形品表層用溶融樹脂への補充が不足してしまう。そして、成形品中間層用溶融樹脂による中層が成形品断面の中心に位置せずに前記金型コア側製品面に偏った層構成の成形品となり、薄い成形品表層用溶融樹脂からなる表層の樹脂では、所定の機能を果たさない可能性がある。
【００１９】
そこで本発明は上記事情に鑑み、成形品表層用溶融樹脂からなる二層の樹脂層の間に成形品中間層用溶融樹脂からなる中層の樹脂層を配した層構成の成形品をホットランナーノズルを利用した成形により得るに際し、上述した金型コア側製品面に沿って広がる層とする成形品表層用溶融樹脂の送り込みが不足しないようにすることを課題とし、中層の樹脂が成形品断面での中心側（層構成での中心側）に配される成形品を得ることを目的とするものである。
【課題を解決するための手段】
【００２０】
（請求項１の発明）
本発明は上記課題を考慮してなされたもので、請求項１に係る発明は、層構成を有する成形品を成形する金型に取り付けられるホットランナーノズルであり、複数の樹脂吐出口がシャットピン用孔の長さ方向に並んでこのシャットピン用孔に臨んでいて、各樹脂吐出口からの溶融樹脂が前記シャットピン用孔で合流し、前記シャットピン用孔の内部を進退移動するシャットピンがノズルゲートを開閉するホットランナーノズルにおいて、
前記複数の樹脂吐出口の内、シャットピン用孔での前方に位置する最前位の樹脂吐出口は、前記成形品の表層を形成する成形材料である成形品表層用溶融樹脂をシャットピン用孔に送り込み可能とした吐出口であるとともに、シャットピン用孔での後方に位置する最後位の樹脂吐出口は、最前位の樹脂吐出口での成形品表層用溶融樹脂と同じ成形品表層用溶融樹脂をシャットピン用孔に送り込み可能とした吐出口であり、前記最前位の樹脂吐出口と最後位の樹脂吐出口との間に中位の樹脂吐出口が位置していて、この中位の樹脂吐出口は、前記成形品表層用溶融樹脂と異なる樹脂である成形品中間層用溶融樹脂をシャットピン用孔に送り込み可能とした吐出口であり、
前記シャットピン用孔には、ノズルゲート側からシャットピンの径に径が合致して前記最前位の樹脂吐出口のみが臨んでいるピン径対応部と、このピン径対応部の後方であって、シャットピンの径より径が大径とされて前記最前位の樹脂吐出口以外の樹脂吐出口が臨んでいる大径部とが設けられており、
前記大径部を介して中位の樹脂吐出口と最後位の樹脂吐出口とが連通していて、この大径部で、中位の樹脂吐出口から送り込まれる成形品中間層用溶融樹脂と最後位の樹脂吐出口から送り込まれる成形品表層用溶融樹脂とが合流して、ノズルゲート側に送り出される構成としたことを特徴とするホットランナーノズルであり、このホットランナーノズルを提供して上記課題を解消するものである。
【００２１】
（請求項２の発明）
そして、請求項１に係る発明において、上記樹脂吐出口に至るノズル内樹脂通路それぞれは、ノズル径方向での断平面上で円環同心円状にして配置されていて、前記樹脂吐出口それぞれは、シャットピン用孔の周方向に開口しているものとすることが可能である。
【００２２】
（請求項３の発明）
また、もう一つの発明である請求項３に係る発明は、請求項１または２に記載の発明であるホットランナーノズルが設けられていて、このホットランナーノズルから送り込まれた溶融樹脂により層構成を有する成形品を形成する多層成形品成形用の金型であって、
上記シャットピンがピン径対応部範囲内での最前位の樹脂吐出口の後方に位置して、最前位の樹脂吐出口のみを開放した状態と、
前記シャットピンがピン径対応部の後方に位置して、上記全樹脂吐出口から型内空間側への上記溶融樹脂の送り出しが可能とされた全開の状態と、
前記シャットピンが最前位の樹脂吐出口の前方に位置して、最前位の樹脂吐出口を閉鎖しこの最前位の樹脂吐出口の後方でピン径対応部を閉鎖した全閉状態と
の三つのシャットピン開閉状態が切り換え可能とされていることを特徴とする多層成形品成形用の金型であり、この金型を提供して上記課題を解消するものである。
【００２３】
（請求項４の発明）
また、請求項３の発明において、上記シャットピンの先端に、該シャットピンの先端より小径にして、このシャットピンでのノズルゲート閉鎖時にノズルゲートに入り込んでノズルゲート内の溶融樹脂をノズル先端側に向けて押し出す凸部が設けられているものとすることが可能である。
【００２４】
（請求項５の発明）
また、もう一つの発明である請求項５に係る発明は、請求項１または２に記載のホットランナーノズルが設けられていて、このホットランナーノズルから送り込まれた溶融樹脂により層構成を有する成形品を形成する多層成形品成形用の金型であって、該金型の成形品表層用溶融樹脂のランナーに溶融樹脂を送り込む射出装置と該金型の成形品中間層用溶融樹脂のランナーに溶融樹脂を送り込む射出装置が取り付けられて、前記射出装置からの溶融樹脂が送り込まれる多層成形品成形用の金型において、
上記シャットピンを進退移動させる駆動手段が設けられていて、該駆動手段は、シャットピンの進退移動のタイミングと進退移動の動作速度とを上記樹脂吐出口での溶融樹脂の送り出しごとに調整可能な空気圧または油圧のシリンダ回路を備えていることを特徴とする多層成形品成形用の金型であり、この金型を提供して上記課題を解消するものである。
【発明の効果】
【００２５】
（請求項１の発明の効果）
請求項１に係る発明によれば、ホットランナーノズルのシャットピン用孔に、ノズル前方側である成形品表層用溶融樹脂を送り込む最前位の樹脂吐出口と、同じく成形品表層用溶融樹脂を送り込む最後位の樹脂吐出口と、この最前位の樹脂吐出口と最後位の樹脂吐出口との間にして成形品中間層用溶融樹脂を送り込む中位の樹脂吐出口とが臨んでいて、最前位の樹脂吐出口と中位の樹脂吐出口と最後位の樹脂吐出口とから前記溶融樹脂をノズルゲートを通して型内空間に送り出すときには、最後位の樹脂吐出口から送り込まれて流れる成形品表層用溶融樹脂の流路となる部分の周りを、中位の樹脂吐出口から送り込まれて流れる成形品中間層用溶融樹脂が取り囲むようになる。
【００２６】
また、成形品表層用溶融樹脂の流れの部分を取り囲んで流れる上記成形品中間層用溶融樹脂の流路となる部分（断面が略環状となる）を、さらに最前位の樹脂吐出口から送り込まれて流れる成形品表層用溶融樹脂の流路となる部分（断面が略環状となる）が取り囲むようになり、この状態でスプルーを通り型内空間に入ることで、最後位の樹脂吐出口から送り出された成形品表層用溶融樹脂が金型コア側製品面に沿って層状に広がり、また、中位の樹脂吐出口からの成形品中間層用溶融樹脂も層状に広がり、さらに最前位の樹脂吐出口からの成形品表層用溶融樹脂が金型キャビティ側製品面に沿って層状に広がるようになる。
【００２７】
このように最前位の樹脂吐出口と中位の樹脂吐出口と最後位の樹脂吐出口とから、二層の成形品表層用溶融樹脂とその間の層とした成形品中間層用溶融樹脂とが共に型内空間に送り出されるようにすれば、最後位の樹脂吐出口からの成形品表層用溶融樹脂を、直接に金型コア側製品面に沿う層の部分に送り込み続けることができる。よって、上述したように金型コア側製品面にて形成される樹脂層は、従来のような充填量の不足によりその樹脂層が薄くなるという不具合が生じないため、中層の樹脂層の偏りが無くなってこの中層の樹脂層が成形品断面での中心に位置させることができるようになる。
【００２８】
また、薄肉の成形品を成形するに際し、予め大径部より前方へシャットピンを前進移動させて、ノズルゲートをシャットピンにより閉じておき、大径部で連通する樹脂吐出口に応じた射出装置で溶融樹脂の送り込みを先行させるなどして、大径部内の溶融樹脂に圧力を付加させておくことができる。
【００２９】
そのため、シャットピンをさらに後退移動させたときに、大径部に臨む最後位の樹脂吐出口からの成形品表層用溶融樹脂の型内空間への送り込みの開始と、同じく大径部に臨む中位の樹脂吐出口からの成形品中間層用溶融樹脂の型内空間への送り込みの開始との時間差を小さくして行なわせることができる。よって、このようにすることで、最後位の樹脂吐出口からの成形品表層用溶融樹脂での送り込み始端となる部分を、スプルーの部分を迅速に通過させて金型コア側製品面側により一層送り込み易くなる。
【００３０】
さらに、シャットピン用孔のノズルゲート側となるピン径対応部に最前位の樹脂吐出口のみが臨んでいるので、最前位の樹脂吐出口からの成形品表層用溶融樹脂のみを先行して型内空間に送り込んだり、溶融樹脂の送り込みの最後の段階でこの最前位の樹脂吐出口からの成形品表層用溶融樹脂のみを型内空間に送り込むことができ、成形品を成形する部分でのゲート形状や、送り込む成形品表層用溶融樹脂と成形品中間層用溶融樹脂との相互間の粘度差、そして成形品中間層用溶融樹脂とする発泡性樹脂素材の使用の有無などによらずに成形品の表層の形成が確実に行なえる。
【００３１】
（請求項２の発明の効果）
請求項２の発明によれば、樹脂吐出口に至るノズル内樹脂通路それぞれが、ノズル径方向での断平面上で円環同心円状にして配置されているので、ホットランナーノズルをコンパクトにすることが可能である。
【００３２】
（請求項３の発明の効果）
請求項３の発明によれば、ホットランナーノズルから、最前位の樹脂吐出口からの成形品表層用溶融樹脂と中位の樹脂吐出口からの成形品中間層用溶融樹脂と最後位の樹脂吐出口からの成形品表層用溶融樹脂とを型内空間側に送り出したり停止させたりする場合、ホットランナーノズルへ溶融樹脂を送り出す射出装置のスクリューの動作を制御するよりも、シャットピンをシャットピン用孔の予め定めた部分に配するようにしてホットランナーノズルからの溶融樹脂の送り込みとその送り込みの停止とを行なった方が、応答が良好となる。
【００３３】
即ち、最前位の樹脂吐出口からのみの成形品表層用溶融樹脂を型内空間に送り込む状態と、最前位と最後位の樹脂吐出口からの成形品表層用溶融樹脂と中位からの樹脂吐出口からの成形品中間層用溶融樹脂とを型内空間に送り込む状態と、全樹脂吐出口からの溶融樹脂の型内空間への送り込みを止める全閉状態とに応じるように、シャットピンをシャットピン用孔内での所要の位置に配して、ホットランナーノズルからの溶融樹脂の型内空間への送り出しとその停止を行なう方が、型内空間への送り出しとその停止との応答が良好となるという効果を奏する。
【００３４】
（請求項４の発明の効果）
請求項４の発明によれば、シャットピンの先端に、該シャットピンの先端より小径にして、このシャットピンでのノズルゲート閉鎖時にノズルゲートに入り込んでノズルゲート内の溶融樹脂をノズル先端側に向けて押し出す凸部が設けられているので、ノズルゲートの径をシャットピンの径に影響を受けることなく細くすることが可能となり、そのようにすることで成形品の外観が向上するという効果を奏する。
【００３５】
（請求項５の発明の効果）
請求項５の発明によれば、各樹脂吐出口からの溶融樹脂の送り込みを行なわせたり止めたりするに際し、シャットピンをその樹脂吐出口間の距離の長短の影響を受けずに配置させることができるという効果を奏する。
【図面の簡単な説明】
【００３６】
【図１】本発明に係るホットランナーノズルを配する金型に射出装置を接続した射出成形機の構成例を示す説明図である。
【図２】本発明に係るホットランナーノズルの実施の例を配した金型を断面で示す説明図である。
【図３】実施の例においてノズルゲートが閉じられた状態を示す説明図である。
【図４】実施の例において最前位の樹脂吐出口のみから成形品表層用溶融樹脂が送り出される状態を示す説明図である。
【図５】実施の例において中位と最後位との樹脂吐出口からの成形品中間層用溶融樹脂と成形品表層用溶融樹脂がノズルゲートに及んでいる状態を示すもので、（ア）は金型を示す説明図、（イ）は腰部を拡大して示す説明図である。
【図６】実施の例において二種三層となった溶融樹脂が型内に広がっている状態を示すもので、（ア）は金型を示す説明図、（イ）は腰部を拡大して示す説明図である。
【図７】実施の例において充填終了段階で最前位の樹脂吐出口のみから成形品表層用溶融樹脂が送り出される状態を示す説明図である。
【図８】実施の例において充填終了につきノズルゲートが閉じられた状態を示す説明図である。
【図９】実施の例の変形例においてノズルゲートが閉じられた状態を示す説明図である。
【図１０】実施の例の変形例において成形品表層用溶融樹脂が送り出される状態を示す説明図である。
【図１１】実施の例の変形例において充填終了段階で成形品表層用溶融樹脂が送り出される状態を示す説明図である。
【図１２】実施の例の変形例において充填終了につきノズルゲートが閉じられた状態を示す説明図である。
【図１３】従来のホットランナーノズルを取り付けた金型での成形を示すもので、前方の樹脂吐出口の開放と成形品表層用溶融樹脂の送り込み開始を示す説明図である。
【図１４】従来での前方の樹脂吐出口からの成形品表層用溶融樹脂の先行送り込みを示す説明図である。
【図１５】従来での成形品表層用溶融樹脂と成形品中間層用溶融樹脂との送り込みを示す説明図である。
【図１６】従来での成形品表層用溶融樹脂と成形品中間層用溶融樹脂との送り込みを示す説明図である。
【図１７】従来での成形終了段階で成形品中間層用溶融樹脂の送り込みを止める状態を示す説明図である。
【図１８】従来での成形品表層用溶融樹脂と成形品中間層用溶融樹脂との送り込みを止める状態を示す説明図である。
【発明を実施するための形態】
【００３７】
つぎに本発明を図１から図１２に示す実施の形態に基づいて詳細に説明する。なお、図１３から図１８に示した従来の技術と構成が重複する部分は同符号を付してその説明を省略する。本発明に係るホットランナーノズル１は、図１に示すようにカップ状の成形品を成形する型内空間８を固定型７ａと移動型７ｂと間に形成している多層成形品成形用の金型７での前記固定型７ａに取り付けられていて、前記型内空間８のスプルー９の部分にノズルゲート６が直接に臨むようにしてこのホットランナーノズル１が配置されている。
【００３８】
（金型）
金型７には、固定型７ａに取り付けの上記ホットランナーノズル１側に二種の溶融樹脂を送り込むための二台の射出装置Ａ，Ｂが接続されていて、これらの射出装置Ａ、Ｂから二種の溶融樹脂をホットランナーノズル１側に送り込み、このホットランナーノズル１から型内空間８に前記二種の溶融樹脂を送り込んで二種三層の層構成を備える多層成形品を得る射出成形機を構成している。
【００３９】
（実施の例）
図２から図８はホットランナーノズル１の実施の例を示している。このホットランナーノズル１の基本的な構成は先に説明した従来の構成と同じであり、図示のように三つの樹脂吐出口１０、１１、１２が一つのシャットピン用孔５に臨んでいて、この三つの樹脂吐出口がシャットピン用孔５の長さ方向に沿って配列されており、各樹脂吐出口１０、１１、１２からの溶融樹脂ａ，ｂがシャットピン用孔５で合流させることができ、シャットピン用孔５の内部を進退移動するシャットピン４が前記ノズルゲート６を開閉するように設けられているものである。
【００４０】
（樹脂吐出口）
図示されているようにシャットピン４が進退移動するシャットピン用孔５に、ノズルゲート６側であって上記一方の射出装置Ａからの成形品表層用溶融樹脂ａをこのシャットピン用孔５に送り込む最前位の樹脂吐出口１０が臨み、シャットピン用孔５でのノズルゲート６側とは反対側であって前記最前位の樹脂吐出口１０と同じく一方の射出装置Ａからの成形品表層用溶融樹脂ａをシャットピン用孔５に送り込む最後位の樹脂吐出口１１が臨み、さらに、最前位の樹脂吐出口１０と前記最後位の樹脂吐出口１１との間であって、上記他方の射出装置Ｂからの成形品中間層用溶融樹脂ｂをシャットピン用孔５に送り込む中位の樹脂吐出口１２が臨んでいる。
【００４１】
一方の一台の射出装置Ａからの成形品表層用溶融樹脂ａが、最前位の樹脂吐出口１０と最後位の樹脂吐出口１１とに送り込まれるようにするために、ホットランナーノズル１では成形品表層用溶融樹脂ａが流れるランナーが分岐して最前位の樹脂吐出口１０と最後位の樹脂吐出口１１とに至るように設けられており、一方の射出装置Ａからの同じ成形品表層用溶融樹脂ａが前記最前位の樹脂吐出口１０と最後位の樹脂吐出口１１とからシャットピン用孔５に送り込みできるようにしている。
【００４２】
実施の例として示したホットランナーノズル１での各樹脂吐出口１０、１２、１１に至る溶融樹脂の通路部分それぞれは、ノズル径方向の断平面上で円環同心円状の配置となるようにレイアウトされている。
【００４３】
（シャットピン用孔）
第一の実施の例において、図示されているようにホットランナーノズル１におけるシャットピン用孔５には、ノズルゲート６側に位置してその孔内径がノズルゲート６から連続するように同一としたピン径対応部１３と、このピン径対応部１３の後端に連続するようにして後方（ノズルゲート６とは反対側）にある大径部１４とが設けられている。前記ピン径対応部１３は孔内径をシャットピン４の外径と同じにした部分であり、前記大径部１４は孔内径をシャットピン４の径より大きくした部分である。
【００４４】
そして、上記最前位の樹脂吐出口１０のみがピン径対応部１３に臨んでおり、中位の樹脂吐出口１２とその後方の最後位の樹脂吐出口１１とは上記大径部１４に臨んでおり、この大径部１４を介して中位の樹脂吐出口１２と最後位の樹脂吐出口１１とが連通するように設けられている。
【００４５】
このように成形品中間層用溶融樹脂ｂをシャットピン用孔５に送り込む中位の樹脂吐出口１２と、成形品表層用溶融樹脂ａをシャットピン用孔５に送り込む最後位の樹脂吐出口１１とが、そのシャットピン用孔５の一部分である大径部１４を介して連通していることから、後述するごとくシャットピン４が前進移動してノズルゲート６を閉じる状態であっても、中位の樹脂吐出口１２からの成形品中間層用溶融樹脂ｂと最後位の樹脂吐出口１１からの成形品表層用溶融樹脂ａとが、大径部１４でのシャットピン４の周りに形成された空間で合流することができるようにしているものである。
【００４６】
（駆動手段）
上記固定型７ａにシャットピン４を進退移動させる駆動手段１５が設けられている。そして、この駆動手段１５により、シャットピン４の先端部分がピン径対応部１３の部分にあって最前位の樹脂吐出口１０の前方に前進位置すれば、即ち、シャットピン４の先端部分がノズルゲート６の位置までやその近傍まで前進すれば、シャットピン４の周面が最前位の樹脂吐出口１０に対応してこの最前位の樹脂吐出口４を閉鎖する。この状態では、ピン径対応部１３自体がシャットピン４で閉鎖されているので、大径部１４に臨む中位の樹脂吐出口１２と最後位の樹脂吐出口１１とからの各溶融樹脂をノズルゲート側に送り込むことも止められており、全閉状態となる。
【００４７】
上記駆動手段１５はシャットピン４を進退移動させる空気圧や油圧を利用したシリンダ回路１５ａを備えていて、そのシリンダ回路での空気圧や油圧の調整によって、シャットピン４の進退移動のタイミングと進退移動の動作速度とを上記樹脂吐出口での溶融樹脂の送り込みごとに調整可能とされている。即ち、各樹脂吐出口から溶融樹脂の送り込み、またその送り込みの停止がシャットピン４の動きや位置によってコントロールされるようにしている。
【００４８】
そして、上記射出装置Ａと射出装置Ｂとの動作も制御する制御部１６にてこの駆動手段１５も制御されるものであり（図１参照）、制御部１６が不図示の調整器を動作させ、シリンダ回路１５ａの空気圧や油圧を上記樹脂吐出口（樹脂吐出口での溶融樹脂の送り込みとその停止）ごとに調整することで、前述のようにシャットピン４の進退移動のタイミングと進退移動の動作速度とが樹脂吐出口（樹脂吐出口での溶融樹脂の送り込みとその停止）ごとに調整でき、シャットピン４の停止と進退移動とが適切に行なわれるように設けられている。
【００４９】
（全閉時）
本実施の例でのホットランナーノズル１での全閉状態では、上述したように大径部１４でのシャットピン４周りの空間で、中位の樹脂吐出口１２からの成形品中間層用溶融樹脂ｂと最後位の樹脂吐出口１１からの成形品表層用溶融樹脂ａとを合流させておくことができる。
【００５０】
（最前位樹脂吐出口のみ開放時）
全閉していたシャットピン４が駆動手段１５によって後退し、そのシャットピン４の先端部分がピン径対応部１３の範囲内での最前位の樹脂吐出口１０の後方に位置する場合、また、シャットピン４の先端部分がピン径対応部１３より後方の位置から前進し、そのシャットピン４の先端部分がピン径対応部１３の範囲内での最前位の樹脂吐出口１０の後方に位置する場合は、最前位の樹脂吐出口１０のみを開放した状態となる。この状態のホットランナーノズル１では、最前位の樹脂吐出口１０からのみ成形品表層用溶融樹脂ａを型内空間８側に送り込みできる状態となる。
【００５１】
最前位の樹脂吐出口１０からのみ溶融樹脂を送り込みする時点では、上記全閉の状態と同様に、大径部１４でのシャットピン周りの空間で、中位の樹脂吐出口１２からの成形品中間層用溶融樹脂ｂと最後位の樹脂吐出口１１からの成形品表層用溶融樹脂ａとを合流させておくことができる。
【００５２】
（全開時）
シャットピン４が駆動手段１５によってピン径対応部１３から離れるように後退位置し、即ち、シャットピン４の先端部分が上記ピン径対応部１３の後方に位置している場合は、ピン径対応部１３での大径部１４側の溶融樹脂に対する型内空間側への送り出しの停止が解かれる状態であるので、大径部１４に臨む中位の樹脂吐出口１２から大径部１４に送り込まれる成形品中間層用溶融樹脂ｂ、最後位の樹脂吐出口１１から大径部１４に送り込まれる成形品表層用溶融樹脂ａの型内空間側への送り込みが行なえる。
【００５３】
この時、成形品中間層用溶融樹脂ｂを送り込む上記射出装置Ｂの送り込みの動作を停止させておけば、シャットピン４の全開時の状態であっても、大径部１４からは最後位の樹脂吐出口１１での成形品表層用溶融樹脂ａがピン径対応部１３に送り込まれることとなる。勿論、最前位の樹脂吐出口１０が開放されているので、この最前位の樹脂吐出口１０からの成形品表層用溶融樹脂ａも型内空間側への送り込みが行なえる状態である。
【００５４】
（大径部での事前合流）
以下に、ホットランナーノズルでのシャットピンの動きを含む溶融樹脂の送り込みの一例を説明するが、その一例では、ピン径対応部１３が閉じた状態のときに、ノズルゲート６からの送り出しの前に、中位の樹脂吐出口１２からの成形品中間層用溶融樹脂ｂと最後位の樹脂吐出口１１からの成形品表層用溶融樹脂ａとを合流させている例である。
【００５５】
この例の場合、両溶融樹脂ｂ、ａが合流している状態でシャットピン４の後退移動でピン径対応部１３と大径部１４とが連通すれば、合流している両溶融樹脂ｂ、ａが大径部１４の位置からスムーズに型内空間８側に送り出される。また、シャットピン４の前進移動で、ピン径対応部１３と大径部１４との間を閉じ、射出装置Ｂからの成形品中間層用溶融樹脂ｂの送り込みを止めて、最前位の樹脂吐出口１０からのみの送り込みが行なわれるようにしている例である。
【００５６】
事前の合流によって、中位の樹脂吐出口１２から成形品中間層用溶融樹脂ｂが送り込まれてから、最後位の樹脂吐出口１１から成形品表層用溶融樹脂ａが送り込まれるまでの時間差を短くでき、最後位の樹脂吐出口１１からの成形品表層用溶融樹脂ａが、型内空間８のノズル側とは反対側の型面に適切に到達し易くなる。
【００５７】
本ホットランナーノズルでの溶融樹脂の送り込みの例を、上述した事前合流を行なう例で説明する。
（１）図３、全閉
シャットピン４にて全閉状態とされて溶融樹脂の送り出し前の時点では、図３に示すようにシャットピン４で直接閉鎖されている最前位の樹脂吐出口１０までには成形品表層用溶融樹脂ａが送り込まれているが、シャットピン４による閉鎖によってピン径対応部１３の内部には送り込まれていない。また、中位の樹脂吐出口１２と最後位の樹脂吐出口１１とが臨む大径部１４でのシャットピン周りの空間には、中位の術吐出口１２から成形品中間層用溶融樹脂ｂが送り込まれているとともに、最後位の樹脂吐出口１１から成形品表層用溶融樹脂ｂが送り込まれていて、ピン径対応部１３側に流れ出ない状態で合流している。
なお、射出装置Ａ、Ｂからは成形品表層用溶融樹脂ａ、成形品中間層用溶融樹脂ｂを送り込むための圧力が加えられている。
【００５８】
（２）図４、樹脂吐出口１０からのみ送り込み
最前位の樹脂吐出口１０を閉鎖していたシャットピン４が後退移動（図面上、右へ）し、シャットピン用孔５の内面に接しているシャットピン４の先端部分が、ピン径対応部１３から抜け出ない範囲で最前位の樹脂吐出口１０の後方に移動してその樹脂吐出口１０を開放すると、最前位の樹脂吐出口１０からの成形品表層用溶融樹脂ａが、ピン径対応部１３でのシャットピン４の前方に送り込まれ、シャットピン用孔５からノズルゲート６、金型７のスプルー９（ダイレクトゲート）を通り、型内空間８に送り込まれる。
なお、射出装置Ａ、Ｂからは成形品表層用溶融樹脂ａ、成形品中間層用溶融樹脂ｂを送り込むための圧力が加えられている。
【００５９】
このとき、上記最前位の樹脂吐出口１０のみからの成形品表層用溶融樹脂ａは所定量が先行して型内空間８内に送り込まれることとなり、スプルー部分から広がる形で金型コア側製品面と金型キャビティ側製品面とに案内されて流れるようになる。
【００６０】
（３）図５、樹脂吐出口１０、１２、１１から送り込み
つぎに先端部分がピン径対応部１３の部分にあったシャットピン４が後退移動し、シャットピン４の先端部分がピン径対応部１３の後方へ位置し、大径部１４と前記ピン径対応部１３とが繋がるようになる。そのため、大径部１４に予め送り込まれていた中位の樹脂吐出口１２からの成形品中間層用溶融樹脂ｂがピン径対応部１３側に送り込まれるとともに、同じく予め大径部１４に送り込まれていた最後位の樹脂吐出口１１からの成形品表層用溶融樹脂ａもピン径対応部１３側に送り込まれるようになる。
なお、射出装置Ａ、Ｂからは成形品表層用溶融樹脂ａ、成形品中間層用溶融樹脂ｂを送り込むための圧力が加えられている。
【００６１】
上記全開の状態で各樹脂吐出口１０、１２、１１からの溶融樹脂ａ、ｂ、ａがノズルゲート６とスプルー９の部分を流れるときには、図５（イ）で示すように最前位の樹脂吐出口１０からの成形品表層用溶融樹脂ａが最外方の位置で環状に移動することとなり、その環状の流路の内側にして前記中位の樹脂吐出口１２からの成形品中間層用溶融樹脂ｂも環状にして上がれることとなり、さらに成形品中間層用溶融樹脂ｂの環状の流路の内側を、前記最後位の樹脂吐出口１１からの成形品表層用溶融樹脂ａが流れる流路となる。なお、環状とは樹脂の流れ方向に対して直交方向での断面の形状を指している。
【００６２】
（大径部からの溶融樹脂ｂ、ａの送り込みの時間差を小に）
シャットピン４がピン径対応部１３から後方に離れて後退移動する動作速度は、制御部１６の制御によって高められた圧の空気圧（又は油圧）がシリンダ回路１５ａに通ることで速い速度とされており、中位の樹脂吐出口１２からの成形品中間層用溶融樹脂ｂと最後位の樹脂吐出口１１からの成形品表層用溶融樹脂ａとのピン径対応部１３側への到達、及び型内空間８への到達に時間差が極力生じないように設けられている。
【００６３】
（４）図６、樹脂吐出口１０、１２、１１から送り込み
上記最後位の樹脂吐出口１１からの成形品表層用溶融樹脂ａは型内空間８に達すると、金型コア側製品面（図面上、凸面）に沿って広がる。中位の樹脂吐出口１２からの成形品中間層用溶融樹脂ｂが環状の流れで型内空間８側に達すると、最後位の樹脂吐出口１１からの成形品表層用溶融樹脂ａの流れに案内されて型内空間中を流れる。さらに、最前位の樹脂吐出口１０からの成形品表層用溶融樹脂ａも型内空間８に達すると、金型キャビティ側製品面に沿って広がるように流れる。
なお、射出装置Ａ、Ｂからは成形品表層用溶融樹脂ａ、成形品中間層用溶融樹脂ｂを送り込むための圧力が加えられている。
【００６４】
このように同一樹脂である二層の成形品表層用溶融樹脂ａ、ａの間に成形品中間層用溶融樹脂ｂが層となって挟まれながら、三層の状態で型内空間８内に広がる。なお、樹脂の広がりの最先端部分にあっては、先に先行して送り込まれた成形品表層用溶融樹脂ａが位置しており、成形品中間層用溶融樹脂ｂは広がりの最先端部分から表出しない。
【００６５】
（５）図７、樹脂吐出口１０からのみ送り込み
型内空間８への充填終了段階では、最前位の樹脂吐出口１０からの成形品表層用溶融樹脂ａの送り込みのみにして、大径部１４での中位の樹脂吐出口１２からの成形品中間層用溶融樹脂ｂと最後位の樹脂吐出口１１からの成形品表層用溶融樹脂ａとがピン径対応部１３へ送り込まれないようにする。そのようにするために、制御部１６の制御の下で所要の時点でシャットピン４が前進移動してピン径対応部１３に入って、ピン径対応部１３と大径部１４との連通状態を閉じ、そのシャットピン４の先端部分が最前位の樹脂吐出口１０の後方に位置させるように設けられている。
なお、射出装置Ａ、Ｂからは成形品表層用溶融樹脂ａ、成形品中間層用溶融樹脂ｂを送り込むための圧力が加えられている。
【００６６】
（６）図８、全閉
そして、成形品表層用溶融樹脂ａの流れに伴なって成形品中間層用溶融樹脂ｂの終端部分が、ノズルゲート６とスプルー９の部分を通過して型内空間８でのスプルー９に対応する部分まで送り込まれると、シャットピン４が駆動手段１５の制御の下でノズル先端側に前進移動して最先端の樹脂吐出口１０を閉鎖して、成形品表層用溶融樹脂ａの型内空間への送り込みを停止させる。
【００６７】
最前位の樹脂吐出口１０の閉鎖は、例えば、シャットピン４が大径部１４とピン径対応部１３との間を閉じてから、成形品中間層用溶融樹脂ｂの終端部分が型内空間のスプルー９に対応する部分に移動するに相当する時間が経たタイミングにて、制御部１６の制御によりシャットピン４を迅速に前進移動させるようにするなどによって行なえばよい。
【００６８】
以上のようにして成形品表層用溶融樹脂ａと成形品中間層用溶融樹脂ｂの型内空間８への送り込みが止まる全閉状態とされ、その後に金型７が型開きして成形品が取り出されることで、その成形品の成形の一サイクルが終了する。
なお、上記の例では、つぎの成形に備えて射出装置Ａ、Ｂからは成形品表層用溶融樹脂ａ、成形品中間層用溶融樹脂ｂを送り込むための圧力が加えられているものとしているが、成形の一サイクルが終了した時点で一旦、射出装置Ａ、Ｂからの成形品表層用溶融樹脂ａ、成形品中間層用溶融樹脂ｂを送り込みを停止するようにしてもよい。
【００６９】
（大径部樹脂に対する加圧）
型内空間８への溶融樹脂の送り込みの最終段階を経た後では、上述したようにシャットピン４を駆動手段１５の動作により前進移動させてシャットピン４の先端部分をピン径対応部１３内に位置させているので、このピン径対応部１３自体が閉鎖（即ち、最前位の樹脂吐出口１０が閉鎖）されている。一方、大径部１４でのシャットピン４の周りの空間には中位の樹脂吐出口１２からの成形品中間層用溶融樹脂ｂと最後位の成形品表層用溶融樹脂ａとが位置して合流している。
【００７０】
そして、射出装置それぞれから溶融樹脂を送り込む圧力を高くして樹脂圧を高める動作を行ない、大径部１４にある成形品中間層用溶融樹脂ｂ、成形品表層用溶融樹脂ａ、及びこの大径部１４に至る前記両方の溶融樹脂を圧縮し、これらの溶融樹脂が所定の圧に昇圧されるまで前記大径部１４から型内空間８側への前記溶融樹脂の送り出しをシャットピン４のピン径対応部１３への配置にて止めるようにすることが可能である。
【００７１】
上述したように事前に大径部１４にて、成形品中間層用溶融樹脂ｂと成形品表層用溶融樹脂ａとが昇圧されているようにすることで、シャットピン４が後退したときに、その成形品中間層用溶融樹脂ｂと成形品表層用溶融樹脂ａとが型内空間８側に入る時間差がより一層小さくなり、最後位の樹脂吐出口１１からの成形品表層用溶融樹脂ａが金型コア側製品面に沿って広がり易くなり、成形品中間層用溶融樹脂ｂがその型面側に偏るのを抑える。
【００７２】
例えば、この場合、成形品表層用溶融樹脂ａを送り込む射出装置と成形品中間層用溶融樹脂ｂを送り込む射出装置とのそれぞれで、通常に溶融樹脂を送り込む圧力（充填継続中に溶融樹脂をホットランナーノズル側に送り込む圧力）よりは高い圧力であって、型内空間８へ溶融樹脂の送り込みを開始する前に、射出装置側から若干の圧力を加え、大径部１４までに達している成形品中間層用溶融樹脂ｂと成形品表層用溶融樹脂ａとが所定の圧力まで昇圧されたときに、上記シャットピン４が後退移動するように上記駆動手段１５でシャットピン４の移動動作を制御するようにすればよいものであり、シャットピン４が後退移動してピン径対応部１３と大径部１４との間の閉鎖を解いてから、前記射出装置それぞれの溶融樹脂の通常の送り込み動作を行なうようにすればよい。
【００７３】
（実施の例の変形）
上記実施の例の変形の例として、図９に示すように成形品表層用溶融樹脂ａと成形品中間層用溶融樹脂ｂとをホットランナーノズル１から送り出す直前に、前記大径部１４が、最後位の樹脂吐出口１１からの成形品表層用溶融樹脂ａのみで満たされている状態となっているものであってもよく、実施の例と相違する部分について以下に説明する。
【００７４】
（１ａ）図９、全閉
図９に示すようにシャットピン４にて全閉状態とされて溶融樹脂の送り出し前の時点では、中位の樹脂吐出口１２と最後位の樹脂吐出口１１とが臨む大径部１４でのシャットピン周りの空間には、最後位の樹脂吐出口１１から送り込まれた成形品表層用溶融樹脂ａのみで満たされた状態としている。
射出装置Ａからは成形品表層用溶融樹脂ａを送り込むための圧力が加えられている。一方、射出装置Ｂからは成形品中間層用溶融樹脂ｂを送り込むための圧力が加えられてはいない（逆流防止については通常の技術が採用できるので、その説明は省略する）。
【００７５】
（２ａ）図１０、大径部開放、溶融樹脂ａのみ送り込み
実施の例では上記（２）の段階で示すようにシャットピン４が最前位の樹脂吐出口１０の後方に後退移動して、この最前位の樹脂吐出口１０からの成形品表層用溶融樹脂ａが型内空間８に送り込まれるようになっているが、変形の例では、上記（１ａ）の全閉の状態からシャットピン４が、制御部１６の制御の下によるシリンダ回路１５ａの動作によってピン径対応部１３と大径部１４との間を開放する位置まで後退移動し、最前位の樹脂吐出口１０と最後位の樹脂吐出口１１とからの成形品表層用溶融樹脂ａのみがこのホットランナーノズル１から金型７の型内空間８に送り込まれる。
（２ａ）の段階では、射出装置Ａから成形品表層用溶融樹脂ａを送り込むための圧力が加えられ、他方の射出装置Ｂからは成形品中間層用溶融樹脂ｂを送り込むための圧力が加えられてはいない。
【００７６】
上記（２ａ）の段階で所要量の成形品表層用溶融樹脂ａが送り込まれた後には、射出装置Ｂからは成形品中間層用溶融樹脂ｂを大径部１４に送り込むための圧力が加えられ始め、実施の例での（３）の段階に移行し、そのつぎに上記（４）の段階に移行する。
【００７７】
（５ａ）図１１  溶融樹脂ａのみ送り込み
変形の例での上記（４）の段階が終了すると、変形の例においても充填終了の段階となる。この変形の例での充填終了段階では、中位の樹脂吐出口１２からの成形品中間層用溶融樹脂ｂの大径部１４への送り込みを止めて、最前位の樹脂吐出口１０と最後位の樹脂吐出口１１とからの成形品表層用溶融樹脂ａの送り込みのみにしている。
（５ａ）の段階では、射出装置Ａから成形品表層用溶融樹脂ａを送り込むための圧力が加えられ、他方の射出装置Ｂからは成形品中間層用溶融樹脂ｂを送り込むための圧力が加えられてはいない。
【００７８】
（６ａ）図１２、全閉
そして、成形品表層用溶融樹脂ａの流れに伴なって成形品中間層用溶融樹脂ｂの終端部分が、ノズルゲート６とスプルー９の部分を通過して型内空間８でのスプルー９に対応する部分まで送り込まれると、シャットピン４が駆動手段１５の制御の下でノズル先端側に前進移動して成形品表層用溶融樹脂ａの型内空間への送り込みを停止させる。
【００７９】
以上のようにして成形品表層用溶融樹脂ａと成形品中間層溶融樹脂ｂの型内空間８への送り込みが止められている全閉状態とされ、その後に金型７が型開きして成形品が取り出されることで、その成形品の成形の一サイクルが終了する。
なお、変形の例でのこの（６ａ）段階では、つぎの成形での上記（１ａ）段階に移行できるように、射出装置Ａからは成形品表層用溶融樹脂ａを送り込むための圧力が加えられた状態となっているとともに、射出装置Ｂでは成形品中間層用溶融樹脂ｂを送り込むための圧力を加えていないが、成形の一サイクルが終了した時点で一旦、射出装置Ａ、Ｂ共に送り込みを停止するようにしてもよい。
【００８０】
上記実施の例では、二種樹脂を三層とした層構成の成形品を成形するものとして説明したが、本発明はこの実施の例に限定されるものではない。例えば、成形品中層として複数層が形成できるように複数種の成形品中間層用溶融樹脂を送り出す複数の中位の樹脂吐出口、及びそれらの中位の樹脂吐出口に応じて互いに異なる成形品中間層用溶融樹脂を送り込む射出装置を金型に連結して、これらの成形品中間層用溶融樹脂を送り込む射出装置を同時に動作させる構成とすることが可能である。このように三種以上樹脂を用いて多層とする多層成形の成形品を得る場合であっても、本発明は実施できるものである。
【００８１】
また、上記実施の例ではノズルゲートの径とシャットピン用孔の径とが同一となる箇所（ピン径対応部）を有して、上述したようにシャットピンが最前位の樹脂吐出口の位置より前方に進み出ることでノズルゲートの閉鎖が成される構成としている。そして本発明では、ノズルゲートでの前記シャットピンによるゲート閉鎖を行なう位置より前方でのゲート部分の径をシャットピンの径より小径とし、さらにシャットピンの先端に、該シャットピンの先端より小径にして、このシャットピンでのノズルゲート閉鎖を行なうときに前記小径としたゲート部分に入り込んで、そのノズルゲート内の溶融樹脂をノズル先端側（型内空間側）に向けて押し出す凸部を設けるようにすることが良好である。このように小径のノズルゲートとすることで成形品の外観が良好となる優れた効果を奏する。
【符号の説明】
【００８２】
１…ホットランナーノズル
４…シャットピン
５…シャットピン用孔
６…ノズルゲート
７…金型
８…型内空間
９…スプルー
１０…最前位の樹脂吐出口
１１…最後位の樹脂吐出口
１２…中位の樹脂吐出口
１３…ピン径対応部
１４…大径部
１５…駆動手段
１５ａ…シリンダ回路
１６…制御部
ａ…成形品表層用溶融樹脂
ｂ…成形品中間層用溶融樹脂
【図１】
0005878145.tif 000002
【図２】
0005878145.tif 000003
【図３】
0005878145.tif 000004
【図４】
0005878145.tif 000005
【図５】
0005878145.tif 000006
【図６】
0005878145.tif 000007
【図７】
0005878145.tif 000008
【図８】
0005878145.tif 000009
【図９】
0005878145.tif 000010
【図１０】
0005878145.tif 000011
【図１１】
0005878145.tif 000012
【図１２】
0005878145.tif 000013
【図１３】
0005878145.tif 000014
【図１４】
0005878145.tif 000015
【図１５】
0005878145.tif 000016
【図１６】
0005878145.tif 000017
【図１７】
0005878145.tif 000018
【図１８】
0005878145.tif 000019